(57)【特許請求の範囲】
【請求項１】
記録媒体から得た付加的な情報に基づいて複製防止制御情報をスペクトラム拡散し、このスペクトラム拡散した前記複製防止制御情報を、前記記録媒体から読み出して再生した主情報信号に重畳する第１の複製防止制御情報重畳手段と、
前記複製防止制御情報を、前記スペクトラム拡散とは異なる重畳方式で、前記主情報信号に重畳する第２の複製防止制御情報重畳手段と、
前記第１の複製防止制御情報重畳手段により重畳された複製防止制御情報と、前記第２の複製防止制御情報重畳手段により重畳された複製防止制御情報との両方を含む主情報信号を出力する手段と、
を有することを特徴とする情報出力装置。
【請求項２】
複製防止制御情報がスペクトラム拡散されて主情報信号に重畳されていると共に、前記複製防止制御情報が他の方式により前記主情報信号に重畳されている信号を入力信号として受ける装置であって、
前記スペクトラム拡散されている複製防止制御情報を、逆スペクトラム拡散により前記主情報信号から抽出する第１の複製防止制御情報抽出手段と、
前記他の方式で重畳されている複製防止制御情報をそれぞれ抽出する１ないし複数個の第２の複製防止制御情報抽出手段と、
前記第１の複製防止制御情報抽出手段および前記第２の複製防止制御情報抽出手段からの複数個の複製防止制御情報の中から、複製禁止に最も近い情報を出力複製防止制御情報として選定する選定手段と、
この選定手段により選定された前記出力複製防止制御情報に基づいて前記主情報信号の記録制御を行う記録制御手段と、
を備える記録装置。
【請求項３】
スペクトラム拡散されて重畳された複製防止制御情報と、他の重畳方式で重畳された複製防止制御情報とを含む主情報信号を受信して、記録媒体に記録するようにする方法において、
前記スペクトラム拡散されている複製防止制御情報を、逆スペクトラム拡散により前記主情報信号から抽出する第１の抽出工程と、
前記他の方式で重畳されている前記複製防止制御情報を前記主情報信号から抽出する第２の抽出工程と、
前記第１の抽出工程で抽出した複製防止制御情報と、前記第２の抽出工程で抽出した複製防止制御情報とのうちから複製禁止に最も近い情報を出力複製防止制御情報として選定する選定工程と、
この選定工程により選定された前記出力複製防止制御情報に基づいて前記主情報信号の記録制御を行う記録制御工程と、
を備えることを特徴とする情報複製防止制御方法。
【請求項４】
複製防止制御情報を主情報信号に重畳する装置において、
スペクトラム拡散方式で生成した第１の複製防止制御情報を前記主情報信号に重畳する第１の重畳手段と、
前記スペクトラム拡散方式で生成した第１の複製防止制御情報とは異なる方式で生成した第２の複製防止制御情報を前記主情報信号に重畳する第２の重畳手段と、
前記第１の複製防止制御情報および前記第２の複製防止制御情報とを含んだ前記主情報信号を出力する出力手段とを備え、
前記第２の重畳手段は、前記第１の複製防止制御情報と重畳区間が重なる状態で前記第２の複製防止制御情報を重畳することを特徴とする情報出力装置。
【請求項５】
複製防止制御情報を主情報信号に重畳する方法において、
スペクトラム拡散方式で生成した第１の複製防止制御情報を前記主情報信号に重畳する第１の重畳ステップと、
前記スペクトラム拡散方式で生成した第１の複製防止制御情報とは異なる方式で生成した第２の複製防止制御情報を前記主情報信号に重畳する第２の重畳ステップと、
前記第１の複製防止制御情報及び前記第２の複製防止制御情報とを含んだ前記主情報信号を出力する出力ステップとを備え、
前記第２の重畳ステップでは、前記第１の複製防止制御情報と重畳区間が重なる状態で前記第２の複製防止制御情報を重畳する
ことを特徴とする情報出力方法。
【発明の詳細な説明】
【０００１】
【発明の属する技術分野】
この発明は、例えば、記録媒体に記録されている情報信号を再生して、複製を防止制御する情報（複製防止制御情報）とともに伝送し、この伝送された情報信号を受信して別の記録媒体に記録する場合に、前記複製防止制御情報により確実に複製防止制御が行えるようにする方法および装置に関する。
【０００２】
【従来の技術】
ＶＴＲ（ビデオテープレコーダ）が普及し、ＶＴＲで再生が可能な数多くのソフトウエアが提供されるようになってきている。また最近では、デジタルＶＴＲやＤＶＤ（デジタルビデオディスク）の再生装置などが現実のものとなってきており、画質、音質の良い映像、音声を手軽に再生して視聴することができるようになってきている。
【０００３】
しかし、一方で、このように豊富に提供されるようになったソフトウエアが無制限に複製されてしまうおそれがあるという問題があり、従来から種々の複製防止対策が施されている。
【０００４】
例えば、アナログ映像信号についての複製を直接的に禁止する方法ではないが、記録装置としての例えばＶＴＲと、映像を提供するモニタ受像機のＡＧＣ（オート・ゲイン・コントロール）の方式の相違、あるいはＡＰＣ（オート・フェイズ・コントロール）の特性の相違を利用して、実質的に複製を防止する方法がある。
【０００５】
すなわち、例えば、ＶＴＲは、映像信号に挿入された擬似同期信号によりＡＧＣを行い、モニタ受像機は、この擬似同期信号によらないＡＧＣ方式を採用するというように、ＡＧＣの方式の相違を利用する方法が前者の例で、オリジナルの記録媒体にアナログ映像信号を記録するときに、ＡＧＣのための同期信号としてレベルが極端に大きな擬似同期信号を挿入しておき、再生用ＶＴＲから記録用ＶＴＲに供給する映像信号に、ＡＧＣのための同期信号として、このレベルが極端に大きな擬似同期信号を挿入するものである。
【０００６】
また、ＶＴＲは、映像信号中のカラーバースト信号そのものの位相によりＡＰＣを行い、モニタ受像機は、これとは異なるＡＰＣ方式を採用するというように、ＡＰＣの特性の相違を利用する方法が後者の例で、オリジナルの記録媒体にアナログ映像信号を記録するときに、映像信号のカラーバースト信号の位相を部分的に反転させておき、再生用ＶＴＲから記録用ＶＴＲに供給する映像信号としてカラーバースト信号の位相が部分的に反転したものを出力するものである。
【０００７】
以上のようにした場合、再生用ＶＴＲからのアナログ映像信号の供給を受けるモニタ受像機においては、擬似同期信号やＡＰＣのために用いられるカラーバースト信号の部分的な位相の反転の影響を受けることなく、正常に映像が再生される。
【０００８】
しかし、再生用ＶＴＲからの上述のように擬似同期信号が挿入された、または、カラーバースト信号の位相反転制御を受けたアナログ映像信号の供給を受けて、これを記録媒体に記録するＶＴＲにおいては、入力信号に基づく利得制御、あるいは位相制御を正常に行うことができず、映像信号を正常に記録することができないようになる。したがって、記録された映像信号を再生しても、視聴可能な正常な映像が再生されることがないようにできる。
【０００９】
このようにアナログ映像信号を扱う場合には、複製を禁止するのではなく、正常に視聴可能な再生映像が得られないようにするものであり、これはいわば消極的な複製防止制御である。
【００１０】
これに対して、デジタル化された情報例えば映像信号を扱う場合には、複製防止符号、あるいは複製の世代制限符号などからなる複製防止制御信号を、デジタルデータとして映像信号に付加して記録媒体に記録しておくことにより、複製を禁止するなどの直接的な複製防止制御を行うようにしている。
【００１１】
図１１は、このデジタル化された情報を扱う場合の複製装置の基本的な構成図であり、デジタル再生装置１１０で再生されたデジタル情報を、デジタル伝送路１０１を通じてデジタル記録装置１２０に送り、複製可能なものは複製を実行し、複製不許可のものは複製を禁止するものである。
【００１２】
デジタル再生装置１１０に装填されている記録媒体１１１には、デジタル主情報に加えて、付加情報としての複製防止制御情報が記録されている。この複製防止制御情報は、複製禁止、複製許可、世代制限などを制御内容として指示するものである。デジタル再生部１１２は、記録媒体１１１から情報を読み出して、デジタル主情報と共に複製防止制御情報を得、これをデジタル伝送路１０１を通じてデジタル記録装置１２０に送る。
【００１３】
デジタル記録装置１２０の複製防止制御信号検出部１２２は、デジタル伝送路１０１を通じて受信した情報から複製防止制御信号を検出し、その制御内容を判別する。そして、この判別結果をデジタル記録部１２１に送る。
【００１４】
デジタル記録部１２１は、複製防止制御信号検出部１２２からの複製防止制御信号の判別結果が、デジタル伝送路１０１を通じて入力されたデジタル情報の記録を許可するものであるときには、前記入力デジタル信号を記録に適したデジタル情報に変換し、記録媒体１２３に書き込んで記録を実行するようにする。一方、複製防止制御信号検出部１２２からの複製防止制御信号の判別結果が、複製禁止であるときには、デジタル記録部１２１は、前記入力デジタル情報の記録処理を行わないようにする。
【００１５】
さらに、複製防止制御信号検出部１２２からの複製防止制御信号の判別結果が、第１世代の複製のみを許可するものであるときには、デジタル記録部１２１は、前記入力デジタル信号を記録に適したデジタル情報に変換し、記録媒体１２３に書き込んで記録を実行すると共に、付加情報としての複製防止制御信号を複製禁止（次世代の複製禁止）を指示するものに変更して、記録媒体１２３に記録するようにする。したがって、複製された記録媒体１２３を用いては、映像信号を複製することはできないようになる。
【００１６】
このように、主情報信号と、付加情報としての複製防止制御信号をデジタル信号として、記録装置に供給するようにする、いわゆるデジタル接続の場合には、伝送されるデジタルデータに複製防止制御信号が含まれるので、この複製防止制御信号を用いて、記録装置において、複製禁止などの複製防止制御を確実に行うことができる。
【００１７】
【発明が解決しようとする課題】
ところで、図１１のデジタル再生装置が、例えばデジタルＶＴＲの場合には、再生した映像信号および音声信号をモニターするために、主情報信号である映像信号および音声信号のみをＤ／Ａ変換回路１１３を通じてアナログ信号に変換して、通常はモニター受像機が接続されるアナログ出力端子１１４に導出するようにする。
【００１８】
このように、デジタル情報の再生装置であっても、アナログ出力端子１１４に導出されるアナログ信号には、複製防止制御信号は含まれていない。このため、アナログ出力端子１１４にアナログＶＴＲなどが接続されるアナログ接続の場合には、情報信号の複製が可能となってしまう。
【００１９】
そこで、Ｄ／Ａ変換された映像信号や音声信号に、複製防止制御信号を重畳付加することが考えられるが、Ｄ／Ａ変換された映像信号や音声信号を劣化させずに、複製防止制御信号を付加し、記録装置において取り出して複製防止制御に用いることは難しい。
【００２０】
したがって、従来は、アナログ接続の場合には、前述したＶＴＲとモニタ受像機のＡＧＣの方式の相違、あるいはＡＰＣの特性の相違を利用する複製防止方法を用いて、消極的な複製防止を行うようにするしか方法がなかった。
【００２１】
ところが、前述したＶＴＲとモニタ受像機のＡＧＣの方式の相違、あるいはＡＰＣの特性の相違を利用する複製防止制御方法の場合、記録装置側のＡＧＣの方式、ＡＰＣの特性によっては、正常に映像信号の記録が行われてしまい、消極的な複製防止さえも、できない場合が発生する。また、モニタ受像機の再生画像が乱れるなどの問題が生じるおそれもあった。
【００２２】
以上のような問題点を解決し、再生される映像、音声を劣化させることなく、アナログ接続、デジタル接続のいずれの場合にも有効な複製防止制御方式として、本出願人は、先に、複製防止制御信号をスペクトラム拡散し、このスペクトラム拡散した複製防止制御信号をアナログ信号の状態の映像信号に重畳して、映像信号をデジタル記録あるいはアナログ記録する方式を提案している（特願平７−３３９９５９号参照）。
【００２３】
この方式においては、拡散符号として用いるＰＮ（ＰｓｅｕｄｏｒａｎｄｏｍＮｏｉｓｅ）系列の符号（以下、ＰＮ符号という）を十分に早い周期で発生させて、これを複製防止制御信号に対して掛け合わせることによりスペクトラム拡散し、狭帯域、高レベルの複製制御信号を、映像信号や音声信号には影響を与えることのない広帯域、低レベルの信号に変換させる。そして、このスペクトラム拡散された複製防止制御信号をアナログ映像信号に重畳して記録媒体に記録するようにする。この場合、記録媒体に記録する映像信号は、アナログ、デジタルのどちらでも可能である。
【００２４】
この方式においては、複製防止制御信号は、スペクトラム拡散されて広帯域、低レベルの信号として映像信号に重畳されるため、違法に複製しようとする者が、重畳された複製防止制御信号を映像信号から取り除くことは難しい。
【００２５】
しかし、逆スペクトラム拡散することにより重畳された複製防止制御信号を検出し、利用することは可能である。したがって、映像信号とともに複製防止制御信号を確実に記録装置側に提供することができると共に、記録装置側において、複製防止制御信号を検出し、検出した複製防止制御信号に応じた複製制御を確実に行うことができる。
【００２６】
ところが、上述したように、スペクトラム拡散されて映像信号に重畳された複製防止制御信号を映像信号から取り除くことは、難しいものの、理論的には可能である。
【００２７】
例えば、スペクトラム拡散された複製防止制御信号が一定レベルであった場合、この映像信号を記録装置に供給する前に受信し、スライディング相関器等を用いて、映像信号に重畳されているスペクトラム拡散された複製防止制御信号を検出する。そして、検出した複製防止制御信号に基づいて、スペクトラム拡散されて映像信号に重畳されている複製防止制御信号と同レベル、同位相の打ち消し信号を発生させ、これをスペクトラム拡散された複製防止制御信号が重畳された映像信号から差し引くことにより、スペクトラム拡散されて映像信号に重畳されている複製防止制御信号を消去することが可能である。
【００２８】
このため、映像信号に重畳された複製防止制御信号が消去されることにより、複製が禁止されている映像の複製が可能になり、映像の違法な複製が行なわれてしまうおそれがあると考えられる。
【００２９】
また、このようにスペクトラム拡散された複製防止制御信号が映像信号に重畳された記録媒体ではなく、他の方式により複製防止制御信号が映像信号とともに記録されている記録媒体の場合には、前述したアナログ接続の場合には、複製防止制御は、上述のように困難である。
【００３０】
この発明は、以上の問題点を改善できる装置および方法を提供することを目的とするものである。
【００３１】
【課題を解決するための手段】
前記課題を解決するため、この発明においては、
記録媒体から得た付加的な情報に基づいて複製防止制御情報をスペクトラム拡散し、このスペクトラム拡散した前記複製防止制御情報を、前記記録媒体から読み出して再生した主情報信号に重畳する第１の複製防止制御情報重畳手段と、
前記複製防止制御情報を、前記スペクトラム拡散とは異なる重畳方式で、前記主情報信号に重畳する第２の複製防止制御情報重畳手段と、
前記第１の複製防止制御情報重畳手段により重畳された複製防止制御情報と、前記第２の複製防止制御情報重畳手段により重畳された複製防止制御情報との両方を含む主情報信号を出力する手段と、
を有することを特徴とする情報出力装置を提供する。
【００３２】
この情報出力装置によれば、記録媒体にスペクトラム拡散された複製防止制御情報が記録されていなくても、この記録媒体からの前記主情報信号を読み出して、記録装置に伝送する信号を生成する際に、スペクトラム拡散した複製防止制御情報がアナログ情報信号に重畳されるので、アナログ接続の場合であっても、有効な複製防止制御ができる。
【００３３】
しかも、スペクトラム拡散された複製防止制御情報が、記録装置に入力される前に消去されたりしたとしても、他の重畳方式により重畳された複製防止制御情報が存在し、その複製防止制御情報により、記録時の複製防止制御ができる。
【００３４】
このように、複数通りの複製防止制御情報が存在するときに、各複製防止制御情報が指示する制御内容が異なるときが問題となる。しかし、この発明による記録装置においては、
前記スペクトラム拡散されている複製防止制御情報を、逆スペクトラム拡散により前記主情報信号から抽出する第１の複製防止制御情報抽出手段と、
前記他の方式で重畳されている複製防止制御情報をそれぞれ抽出する１ないし複数個の第２の複製防止制御情報抽出手段と、
前記第１の複製防止制御情報抽出手段および前記第２の複製防止制御情報抽出手段からの複数個の複製防止制御情報の中から、複製禁止に最も近い情報を出力複製防止制御情報として選定する選定手段と、
この選定手段により選定された前記出力複製防止制御情報に基づいて前記主情報信号の記録制御を行う記録制御手段と、
を備える。
【００３５】
このように、この発明による記録装置によれば、複数個の複製防止制御情報間の整合を、複製禁止に最も近い情報を出力複製防止制御情報として選定することにより行う。したがって、記録装置への入力前に、いずれかの複製防止制御情報が変更されてしまって、本来同じであるべき複数個の複製防止制御情報間に不整合が生じたとしても、適切な複製防止制御を行うことができる。
【００３６】
【発明の実施の形態】
以下、図を参照しながら、この発明の実施の形態について説明する。
【００３７】
以下に説明する実施の形態の情報出力装置と記録装置とにより形成される情報複製防止システムは、この発明による情報複製防止制御方法が適用されたものである。そして、以下に説明する実施の形態において、情報出力装置、記録装置は、ともにＤＶＤ（デジタルビデオディスク）の記録再生装置（ＤＶＤ装置と以下称する）に適用されたものとして説明する。なお、説明を簡単にするため音声信号系についての説明は省略する。
【００３８】
［第１の実施の形態］
この第１の実施の形態は、記録媒体であるディスクには、デジタル化された映像信号、音声信号が記録され、かつ、付加情報として１種類の複製防止制御信号のみが記録されている場合である。複製防止制御信号は、このディスクの最内周のＴＯＣ（Ｔａｂｌｅ  Ｏｆ  Ｃｏｎｔｅｎｔｓ）やディレクトリと呼ばれるトラックエリアに記録することもできるし、映像データや音声データが記録されるトラックに、記録エリアを別にして挿入記録することもできる。以下に説明する例は、後者の場合の例で、映像データを読み出したときに、複製防止制御信号も同時に読み出される場合である。
【００３９】
この第１の実施の形態においては、このような記録媒体が再生されて、その再生信号がアナログ信号に変換されて記録装置に供給されるアナログ接続の場合に、有効な複製防止制御が行われるようにするため、ＤＶＤからの再生を行う装置として、図１に示すような情報出力装置を使用する。
【００４０】
図１は、この第１の実施の形態の情報出力装置１０を説明するための図である。情報出力装置１０は、この第１の実施の形態において、ＤＶＤ装置の再生系に相当する。
【００４１】
複製防止制御信号は、この実施の形態においては、映像信号の複製の許容回数を示す情報であり、複製許可回数が０のときには、複製禁止である。この複製防止制御信号は、この例では、上述したように、映像データに挿入付加されている。ディスク１００は、情報出力装置１０に装填されて、読み出し要求により、記録されている信号が読み出される。
【００４２】
図１に示すように、この実施の形態の情報出力装置１０は、読み出し部１１、復号化部１２、複製防止制御信号付加部１３、Ｄ／Ａ変換器１４、加算部１５、複製防止制御信号抽出部１６、ＳＳ（ここで、ＳＳはスペクトラム拡散の略である。以下同じ）複製防止制御信号生成部１７、Ｄ／Ａ変換器１８、タイミング生成部１９を備えている。
【００４３】
読み出し部１１は、ディスク１００に記録されている情報を再生して得られる信号Ｓ１からデジタル再生映像信号成分Ｓ２を取り出し、これを復号化部１２および複製防止制御信号抽出部１６に供給する。
【００４４】
復号化部１２は、デジタル再生映像信号成分Ｓ２について復号化処理を行うと共に、映像データに含まれている複製防止制御信号を復号し、復号化した信号Ｓ３を複製防止制御信号付加部１３に供給する。この複製防止制御信号付加部１３は、アナログ信号に変換したときにも複製防止制御信号が映像信号に重畳されているように、当該複製防止制御信号を付加するもので、この例では、Ｄ／Ａ変換前の映像信号の垂直ブランキング期間内に、複製防止制御信号を重畳する。
【００４５】
この複製防止制御信号付加部１３からの信号Ｓ４は、Ｄ／Ａ変換器１４に供給され、このＤ／Ａ変換器１４から、垂直同期信号、水平同期信号を含むアナログ映像信号Ｓ５が得られる。このアナログ映像信号Ｓ５は、加算部１５に供給されると共に、タイミング生成部１９に供給される。
【００４６】
タイミング生成部１９は、Ｄ／Ａ変換器１４からのアナログ映像信号Ｓ５の供給を受けて、このアナログ映像信号Ｓ５中の映像同期信号を基準信号として用いてクロック信号や各種のタイミング信号を生成するものである。
【００４７】
図２は、このタイミング生成部１９の詳細構成例を示すブロック図である。図２に示すように、タイミング生成部１９は、基準タイミング検出部１９１と、ＰＬＬ回路１９２と、タイミング信号生成部１９３とを備えている。
【００４８】
基準タイミング検出部１９１は、Ｄ／Ａ変換器３３からのアナログ映像信号Ｓ３から、基準タイミング信号としての映像同期信号を抽出する。この実施の形態においては、基準タイミング信号として垂直同期信号ＶＤを用いるもので、基準タイミング検出部１９１は、垂直同期信号ＶＤを抽出し、これをＰＬＬ回路１９２およびタイミング信号生成部１９３に供給する。
【００４９】
ＰＬＬ回路１９２は、垂直同期信号ＶＤに同期したクロック信号ＣＬＫを生成する。このクロック信号ＣＬＫは、タイミング信号生成部１９３に供給されると共に、複製防止制御信号抽出部１６、ＳＳ複製防止制御信号生成部１７、Ｄ／Ａ変換器１８などに、それぞれ供給される。
【００５０】
タイミング信号生成部１９３は、垂直同期信号ＶＤとクロック信号ＣＬＫとに基づいて、後述するＰＮ符号発生部１７２のリセット信号（初期化信号）ＲＥや、その他の各種のタイミング信号を生成して出力する。この実施の形態において、リセット信号ＲＥは、垂直同期信号ＶＤに同期し、１垂直区間を１周期とする信号として生成される。
【００５１】
複製防止制御信号抽出部１６は、読み出し部１１により取り出された再生映像信号成分Ｓ２の情報データ列中から複製防止制御信号Ｓ６を抽出し、これをＳＳ複製防止制御信号生成部１７に供給する。
【００５２】
ＳＳ複製防止制御信号生成部１７は、ＰＮ（Ｐｓｅｕｄｏｒａｎｄｏｍ  Ｎｏｉｚｅ；疑似ランダム雑音）符号列を生成し、このＰＮ符号列を用いて複製防止制御信号Ｓ６をスペクトラム拡散する。
【００５３】
図３は、この実施の形態のＳＳ複製防止制御信号生成部１７の構成例を示す図である。図３に示すように、ＳＳ複製防止制御信号生成部１７は、複製防止制御信号列生成部１７１、ＰＮ符号列生成部１７２、乗算器１７３を備えている。
【００５４】
複製防止制御信号列生成部１７１には、タイミング生成部１９からのクロック信号ＣＬＫと、複製防止制御信号抽出部１６からの複製防止制御信号Ｓ６およびタイミング信号Ｔ１が供給される。この場合、タイミング信号Ｔ１は、複製防止制御信号Ｓ６の１ビット毎の区切りのタイミングを示す。
【００５５】
そして、複製防止制御信号列生成部１７１は、複製防止制御信号Ｓ６を１ビット毎に、予め決められたクロック数分出力することにより、複製防止制御信号列ＦＳを生成し、これを乗算器１７３に供給する。この例の場合、例えば、１垂直周期の区間毎に、複製許可回数を指示する低ビットの複製防止制御信号列ＦＳを生成するようにする。
【００５６】
ＰＮ符号列生成部１７２には、タイミング生成部１９からの映像信号の垂直同期信号に同期したクロック信号ＣＬＫと、リセット信号（初期化信号）ＲＥが供給される。イネーブル信号ＥＮは、ＰＮ符号列生成部１７２を動作状態にするための信号であり、この実施の形態のおいては、情報出力装置１０に電源が投入されることにより生成されて、ＰＮ符号列生成部１７２に供給される。リセット信号ＲＥは、予め決められた符号パターンを有するＰＮ符号列をその先頭から生成させるための信号である。
【００５７】
ＰＮ符号列生成部１７２は、イネーブル信号ＥＮに応じて動作が可能な状態にされる。そして、ＰＮ符号列生成部１７２は、リセット信号ＲＥが供給されたタイミング毎にＰＮ符号列をその先頭から、クロック信号ＣＬＫに同期して生成する。生成されたＰＮ符号列ＰＳは、乗算器１７３に供給される。
【００５８】
図４は、ＰＮ符号列生成部１７２の構成例を示す図である。この例のＰＮ符号列生成部１７２は、１５段のシフトレジスタを構成する１５個のＤフリップフロップＲＥＧ１〜ＲＥＧ１５と、このシフトレジスタの適宜のタップ出力を演算するイクスクルーシブオア回路ＥＸ−ＯＲ１〜ＥＸ−ＯＲ５とからなっている。そして、図３に示すＰＮ符号列生成部１７２は、上述したように、リセット信号ＲＥ、クロック信号ＣＬＫ、イネーブル信号ＥＮに基づいて、Ｍ系列のＰＮ符号列ＰＳを発生する。
【００５９】
ＳＳ複製防止制御信号生成部１７の乗算部１７３は、ＰＮ符号列生成部１７２からのＰＮ符号列ＰＳを用いて、複製防止制御信号列ＦＳをスペクトラム拡散する。この乗算部１７３からは、スペクトラム拡散された複製防止制御信号であるスペクトラム拡散信号（以下、ＳＳ複製防止制御信号という）Ｓ７が得られる。
【００６０】
上述したように、この第１の実施の形態においては、ＳＳ複製防止制御信号生成部１７には、タイミング生成部１９からの映像同期信号に同期したクロック信号ＣＬＫが供給されると共に、リセット信号として、垂直同期信号ＶＤに同期した垂直周期のリセットＲＥが供給されるので、このＳＳ複製防止制御信号生成部１７からのＳＳ複製防止制御信号Ｓ７としては、１垂直周期ごとにリセットされて繰り返すＰＮ符号列により複製防止制御信号がスペクトラム拡散されたものが得られる。
【００６１】
すなわち、この第１の実施の形態においては、ＳＳ複製防止制御信号生成部１７では、図５に示すように、垂直同期信号ＶＤ（図５Ａ）に同期して、１垂直区間を１周期とするリセット信号ＲＥ（図５Ｂ）により、１垂直周期毎に、ＰＮ符号列生成部が初期化されて、１垂直周期を繰り返し周期とするＰＮ符号列（図５Ｃ）ＰＳを、クロック信号ＣＬＫに同期して発生させる。そして、このＰＮ符号列ＰＳにより、複製防止制御信号Ｓ６をスペクトラム拡散して、ＳＳ複製防止制御信号Ｓ７を生成する。
【００６２】
以上のようにしてＳＳ複製防止制御信号生成部１７から得られるＳＳ複製防止制御信号Ｓ７は、Ｄ／Ａ変換器１８に供給されて、アナログＳＳ複製防止制御信号Ｓ８とされ、加算部１５に供給される。
【００６３】
加算部１５は、Ｄ／Ａ変換器１４からのアナログ映像信号Ｓ５と、Ｄ／Ａ変換器１８からのアナログＳＳ複製防止制御信号Ｓ８とを受けて、アナログＳＳ複製防止制御信号Ｓ７が重畳されたアナログ映像信号Ｓ９を形成し、これを出力する。そして、このアナログＳＳ複製防止制御信号Ｓ８が重畳されたアナログ映像信号Ｓ９は、映像を表示するモニタ受像機や、映像信号を記録媒体に記録する記録装置などに供給される。
【００６４】
図６は、複製防止制御信号と、主情報信号この例では映像信号との関係をスペクトルで示したものである。複製防止制御信号は、これに含まれる情報量は少なく、低ビットレートの信号であり、図６（ａ）に示されるように狭帯域の信号である。これにスペクトラム拡散を施すと、図６（ｂ）に示すような広帯域幅の信号となる。このときに、スペクトラム拡散信号レベルは帯域の拡大比に反比例して小さくなる。
【００６５】
このスペクトラム拡散信号、すなわち、ＳＳ複製防止制御信号Ｓ６を、加算部１４で情報信号に重畳させるのであるが、この場合に、図６（ｃ）に示すように、情報信号としての映像信号のダイナミックレンジより小さいレベルで、ＳＳ複製防止制御信号Ｓ６を重畳させるようにする。このように重畳することにより主情報信号の劣化がほとんど生じないようにすることができる。したがって、ＳＳ複製防止制御信号が重畳された映像信号がモニター受像機に供給されて、映像が再生された場合に、ＳＳ複製防止制御信号の影響はほとんどなく、良好な再生映像が得られるものである。
【００６６】
一方、後述するように、記録側でＳＳ複製防止制御信号を検出するために、スペクトラム逆拡散を行うと、図６（ｄ）に示すように、ＳＳ複製防止制御信号が再び狭帯域の信号として復元される。十分な帯域拡散率を与えることにより、逆拡散後の複製防止制御信号の電力が情報信号を上回り、検出可能となる。
【００６７】
この場合、アナログ映像信号に重畳されたＳＳ複製防止制御信号は、アナログ映像信号と同一時間、同一周波数内に重畳されるため、周波数フィルタや単純な情報の置き換えでは削除および修正が不可能である。
【００６８】
したがって、映像信号に重畳されたＳＳ複製防止制御信号が取り除かれることがなく、ＳＳ複製防止制御信号をモニタ受像機や記録装置などの装置に確実に提供することができる。しかも、この情報出力装置１０によれば、複製防止制御信号付加部１３で、スペクトラム拡散とは異なる方式で、アナログ映像信号に戻した状態でも除去されることのない複製防止制御信号を、ＳＳ複製防止制御信号に重ねて重畳している。このため、ＳＳ複製防止制御信号のみによる複製防止制御方式に比べて、複製防止制御の信頼性が向上する。
【００６９】
図１の情報出力装置の例では、復号化した映像信号をアナログ信号に変換した後に、Ｄ／Ａ変換されたＳＳ複製防止制御信号Ｓ７を、当該アナログ映像信号に重畳するようにした。しかし、情報出力装置１０は、複製防止制御信号付加部１３からのデジタル信号と、ＳＳ複製防止制御信号生成部１７からのデジタルＳＳ複製防止制御信号Ｓ７とをデジタル加算部で加算した後、その加算出力をＤ／Ａ変換器でアナログ信号に変換することで、ＳＳ複製防止制御信号が重畳されたアナログ映像信号Ｓ９を得るようにしてもよい。
【００７０】
また、タイミング生成部１９は、Ｄ／Ａ変換器１４からのアナログ映像信号から同期信号を抽出して、各種タイミング信号を生成するようにしたが、復号化部１２の出力信号、あるいは複製防止制御信号付加部１３の出力信号から各種タイミング信号を生成するようにすることもできる。
【００７１】
次に、上述の情報出力装置１０からの出力信号の供給を受けて、情報を記録する記録装置について説明する。
【００７２】
図７は、この実施の形態の情報複製防止システムで用いられる記録装置２０の一例の構成例を示す図である。この記録装置２０は、この第１の実施の形態において、ＤＶＤ装置の記録系に相当する。
【００７３】
この実施の形態の記録装置２０は、図７に示すように、Ａ／Ｄ変換器２１、符号化部２２、書き込み部２３、複製防止制御信号検出部２４、ＳＳ複製防止制御信号検出部２５、タイミング生成部２６、複製の許可／禁止を制御する複製制御部２７を備えている。また、ディスク２００は、記録装置２０により映像信号が書き込まれるＤＶＤである。
【００７４】
情報出力装置１０からこの記録装置２０に供給されるアナログ映像信号Ｓ９は、Ａ／Ｄ変換回路２１によりＡ／Ｄ変換され、デジタル映像信号Ｓ２１として、符号化部２２、複製防止制御信号検出部２４、ＳＳ複製防止制御信号検出部２５およびタイミング生成部２６に供給される。
【００７５】
符号化部２２は、デジタル映像信号Ｓ２１の供給を受けて、映像同期信号を除去したり、デジタル映像信号をデータ圧縮するなどの符号化処理を行って、記録用のデジタル映像信号Ｓ２２を形成し、これを書き込み部２３に供給する。
【００７６】
複製防止制御信号検出部２４は、この例の場合には、映像信号中の垂直ブランキング期間に挿入されている複製防止制御信号を抽出して、復号化する。そして、当該複製防止制御信号が指示する複製制御内容についてのデータ判定を行い、その判定結果Ｓ２４を複製制御部２７に供給する。この例では、この判定結果Ｓ２４は、許容される複製回数である。
【００７７】
ＳＳ複製防止制御信号検出部２５は、逆スペクトラム拡散を行って、デジタル映像信号Ｓ２１に重畳されている複製防止制御信号を抽出する逆スペクトラム拡散処理手段としての機能を有するものである。後述するように、逆スペクトラム拡散に用いる逆拡散用のＰＮ符号列の発生の開始タイミングがタイミング生成部２６からのタイミング信号のうちのリセット信号により制御される。
【００７８】
前述したように、情報出力装置１０においては、映像信号中の垂直同期信号に同期し、１垂直区間を１周期とするリセット信号ＲＥに基づいてＰＮ符号列ＰＳを生成し、このＰＮ符号列ＰＳを用いて、複製防止制御信号列をスペクトラム拡散している。
【００７９】
このため、記録装置２０においても、情報出力装置１０から供給される映像信号中の垂直同期信号に基づいて、逆スペクトラム拡散に用いる逆拡散用のＰＮ符号列を１垂直区間毎に生成することにより、拡散用のＰＮ符号列ＰＳと同じタイミングの逆拡散用のＰＮ符号列を生成させることが容易にできる。
【００８０】
この例の記録装置２０のタイミング生成部２６は、前述の図２に示したものと同様の構成を備えており、この記録装置２０の入力信号Ｓ９の垂直同期信号に基づいて、クロック信号ＣＬＫ１および逆拡散用のＰＮ符号列の発生の開始タイミングを制御するリセット信号ＲＥ１を生成し、これをＳＳ複製防止制御信号検出部２５に供給する。
【００８１】
この場合、タイミング生成部２６から得られるリセット信号ＲＥ１は、情報出力装置１０のＳＳ複製防止制御信号生成部１７において用いられたリセット信号ＲＥに対応する信号であり、垂直周期の信号である。したがって、このタイミング生成部２６から得られるリセット信号ＲＥ１は、リセット信号ＲＥに同期する信号であって、逆拡散用のＰＮ符号列をその先頭から生成させるための信号とすることができる。このため、ＳＳ複製防止制御信号検出部２５では、同期タイミングが存在しない一般的なスペクトル拡散の場合とは異なり、スライディング相関器などを用いた逆拡散のためのＰＮ符号の位相制御は不要となる。
【００８２】
この例のＳＳ複製防止制御信号検出部２５は、図示しないが、供給されたデジタル信号Ｓ２１からスペクトラム拡散された複製防止制御信号を取り出す逆拡散部と、この逆拡散部により取り出された複製防止制御信号を元の複製防止制御信号に復元するデータ判定部とを備えている。
【００８３】
逆拡散部は、逆拡散のためのＰＮ符号発生器や乗算回路を備えており、タイミング生成部２６からのタイミング信号中の垂直同期信号ＶＤに同期したリセット信号に応じて、垂直周期のＰＮ符号列を発生させる。そして、発生させたＰＮ符号列を用いて、逆スペクトラム拡散を行い、広帯域、低レベルの信号とされた複製防止制御信号を、元の狭帯域、高レベルの信号として、信号Ｓ２１から抽出する。抽出された複製防止制御信号は、データ判定部において、当該複製防止制御信号が指示する複製制御内容が判定され、その判定結果Ｓ２５が複製制御部２７に供給される。この例では、この判定結果Ｓ２５は、許容される複製回数である。
【００８４】
複製制御部２７は、判定結果Ｓ２４とＳ２５に基づいて、書き込み部２３を制御するための制御信号Ｓ２７を形成し、これを書き込み部２３に供給する。制御信号Ｓ２７は、映像信号のディスク２００への書き込みの許可あるいは禁止を制御すると共に、書き込み許可のときには、複製防止制御信号の更新制御も行うものである。
【００８５】
書き込み部２３は、複製制御部２５からの制御信号Ｓ２５が、複製を許可するものであるときは、符号化部２２からのデジタル映像信号Ｓ２２をディスク２００に書き込むと共に、複製防止制御信号の内容を更新して付加情報として記録する。複製防止制御信号の内容の更新は、複製許可回数を減少させることである。制御信号Ｓ２７が複製を禁止するものであるときには、デジタル映像信号Ｓ２２をディスク２００に書き込まないようにする。
【００８６】
この場合、複製防止制御信号検出部２４からの判定結果Ｓ２４と、ＳＳ複製防止制御信号検出部２５からの判定結果Ｓ２５とは、本来同じであるはずである。しかし、記録装置への入力までの過程で、いずれかの複製防止制御信号が除去され、あるいは修正されてしまった場合には、判定結果Ｓ２４と判定結果Ｓ２５とが異なる場合が生じる。複製制御部２７では、このような不整合を調整して、常に適切な複製制御を行うようにする。
【００８７】
図８は、この複製制御部２７での処理のフローチャートである。
【００８８】
すなわち、複製制御部２７では、まず、ステップ３０１において、異なる複数の方式で重畳されている複製防止制御情報の判定結果を取得する。次に、ステップ３０２に進んで、取得した複数個の判定結果のうち、許容される複製回数の最小値Ｋを判定する。そして、最小値Ｋの値が０であるときには、ステップ３０５に進み、書き込み部２３でのデジタルデータのディスク２００への書き込み動作を禁止する。
【００８９】
ステップ３０２での判定の結果、最小値Ｋが１以上であれば、ステップ３０３に進み、書き込み部２３でのデジタルデータのディスク２００への記録を実行させるようにすると共に、ステップ３０４に進んで、複製防止制御信号の制御内容を、複製可能回数を１回だけ減らしたものとし、さらに、ステップ３０５に進んで、この１回だけ複製可能回数が少なくなった複製防止制御信号を、付加データとして、デジタルデータと共にディスクに記録する。
【００９０】
この複製防止制御信号の記録方式としては、前述したように、映像データ中にエリア分割可能に挿入してもよいし、スペクトラム拡散して記録するようにしてもよい。また、上述と同様にして、複数通りの方法で、当該更新した複製防止制御信号を記録するようにしてももちろんよい。
【００９１】
図７の例の記録装置２０では、入力信号Ｓ９を、Ａ／Ｄ変換器２１によりデジタル信号に変換した後に、ＳＳ複製防止制御信号検出部２５に供給するようにしたが、ＳＳ複製防止制御信号の検出は、アナログ信号Ｓ９からも行うことができる。また、タイミング生成部２６も、アナログ信号Ｓ９から同期信号を抽出して、クロックやリセット信号などの種々のタイミング信号を生成することができる。
【００９２】
［第２の実施の形態］
以上の実施の形態では、複製防止制御信号を、スペクトラム拡散してアナログ信号の状態の情報信号に重畳すると共に、スペクトル拡散ではない他の方式により複製防止制御信号を重畳するようにしたが、スペクトラム拡散により、複数通りに複製防止制御信号を重畳することが可能である。第２の実施の形態は、この場合の例である。
【００９３】
図９は、この第２の実施の形態の場合の情報出力装置３０の例を示すものである。
【００９４】
この例において、読み出し部１１によりディスク１００から読み出したデジタルデータＳ２中から複製防止制御信号抽出部１６で複製防止制御信号Ｓ６を抽出するのは、第１の実施の形態の情報出力装置１００と同様であるが、この例においては、抽出された複製防止制御信号Ｓ６は、第１および第２のスペクトラム拡散のための乗算回路３３および３４に供給される。
【００９５】
乗算回路３３には、第１ＰＮ符号系列発生部３１からの第１ＰＮ符号系列ＰＳ１が供給され、また、乗算回路３４には、前記第１ＰＮ符号系列ＰＳ１とは異なる系列のＰＮ符号を発生する第２ＰＮ符号系列発生部３１からの第２ＰＮ符号系列ＰＳ２が供給される。したがって、乗算回路３３および３４からは、それぞれのＰＮ符号系列ＰＳ１およびＰＳ２により、独立にスペクトラム拡散されたＳＳ複製防止制御信号が得られる。
【００９６】
これらＳＳ複製防止制御信号は、それぞれＤ／Ａ変換器３５および３６によりアナログ信号に変換された後、加算部１５に供給されて、Ｄ／Ａ変換器１４からのアナログ映像信号に重畳されて、記録装置に対して出力される。この例の場合には、第１の実施の形態の場合の複製防止制御信号付加部１３は不要である。最も、この付加部１３を設けて、３通りの複製防止制御信号の重畳方式とすることもできる。
【００９７】
この例の場合も、前述の第１の実施の形態の場合と同様に、タイミング生成部１９からのタイミング信号により、第１および第２ＰＮ符号系列ＰＳ１およびＰＳ２は、それぞれ垂直同期信号に同期した、垂直周期の繰り返しのＰＮ符号とされており、逆拡散時に垂直同期信号に同期したリセット信号を生成するだけで、逆拡散のためのＰＮ符号を容易に得ることができる。
【００９８】
図１０は、この情報出力装置３０からの信号を受信して、複製制御が実行される記録装置４０の一例を示すものである。
【００９９】
すなわち、この例の場合には、記録装置４０には、ＳＳ複製防止制御信号検出部４１および４２を設け、タイミング生成部２６からのタイミング信号を、これらＳＳ複製防止制御信号検出部４１および４２にそれぞれ供給する。
【０１００】
ＳＳ複製防止制御信号検出部４１および４２は、情報出力装置３０の第１ＰＮ符号系列発生部３１および第２ＰＮ符号系列発生部３２と同様のＰＮ符号発生部をそれぞれ備える。そして、タイミング生成部２６からの垂直同期信号に同期したタイミング信号により、それらのＰＮ符号発生部が初期化されて、スペクトラム拡散時と同じ位相で第１および第２ＰＮ符号系列ＰＳ１およびＰＳ２に等しいＰＮ符号系列を発生し、これにより逆スペクトラム拡散を行って、それぞれ複製防止制御信号を復元し、データ判別する。そして、そのデータ判別結果Ｓ４１およびＳ４２を複製制御部２７に供給する。
【０１０１】
複製制御部２７は、前述した第１の実施の形態の場合と同様にして、判別結果Ｓ４１およびＳ４２に関して、整合処理を行い、書き込み部２３に対して、前述したのと全く同様にして、適切な記録禁止制御および書き込み制御を行う。
【０１０２】
以上のように異なる系列のＰＮ符号を使用するのではなく、１種類のＰＮ符号を、異なる位相で発生させ、これら異なる位相のＰＮ符号を用いるようにしてもよい。
【０１０３】
また、上述の第１および第２の実施の形態においては、Ｍ系列のＰＮ符号を用いるようにしたが、これに限るものではなく、Ｇｏｌｄ符号系列の符号など各種の拡散符号を用いることができる。
【０１０４】
また、前述のように、拡散用、逆拡散用のＰＮ符号列は、１垂直区間毎に生成する場合に限らず、２垂直区間毎、４垂直区間毎のように複数垂直区間毎に生成するようにしてもよいし、１／２垂直区間毎、１／４垂直区間毎のように１垂直区間を複数に分割し、１分割区間毎、複数分割区間毎に生成するようにしてもよい。
【０１０５】
また、映像同期信号は、垂直同期信号に限るものではなく、水平同期信号を用いるようにしてもよい。この場合にも、拡散用、逆拡散用のＰＮ符号列を複数水平区間毎に生成するようにしてもよいし、１水平区間を複数に分割し、１分割区間毎、複数分割区間毎に生成するようにしてもよい。
【０１０６】
また、以上の例は、情報信号が映像信号の場合であるが、オーディオ信号やその他の複製を防止する要求が生じるすべての情報の複製防止制御に、この発明は適用可能である。
【０１０７】
また、情報信号が映像信号でない場合には、特定のタイミング同期信号を設定して、それに同期してＰＮ符号を生成するようにすれば、上述と同様にして、逆拡散時の逆拡散用ＰＮ符号の検出が容易である。もっとも、からなずしも、同期信号を設定してＰＮ符号を発生させる必要はなく、通常の方法と同様に、逆拡散時にスライディング相関法などにより、位相制御を行って、逆拡散をする方式であってももちろんよい。
【０１０８】
また、以上の例では、書き込み部により、ディスクには、映像信号をデジタル信号の状態で記録するようにしたが、アナログ信号の状態で記録する場合にも、この発明は適用できることはいうまでもない。その場合には、書き込み部２３により、前記のように更新した複製防止制御信号をスペクトラム拡散してアナログ映像信号に重畳して、記録すると共に、他のアナログ重畳方式で同じく更新した複製防止制御信号を重畳記録するようにするとよい。
【０１０９】
このように複数通りに複製防止制御信号が記録媒体に記録されている場合には、前述した情報出力装置１０ではなく、通常の再生装置で再生した場合にも、スペクトラム拡散された複製防止制御信号と他の方式の複製防止制御信号が記録装置２０に伝送されるので、この記録装置２０において、上述と同様にして、適切な複製防止制御が実行されることになる。
【０１１０】
また、以上の説明では、記録媒体に、予め複製防止制御情報がデジタル信号の形式で記録されている場合の情報出力装置について説明したが、記録媒体に記録されている情報がアナログ情報であって、前述したＡＧＣ方式やＡＰＣ方式による消極的な複製防止対策が施されている記録媒体を再生して情報を出力する情報出力装置にも、この発明は適用可能である。
【０１１１】
すなわち、その場合には、情報出力装置は、複製防止制御信号の発生部を備え、例えば、前述のＡＧＣ方式のための大振幅の疑似同期信号を検知したときに、この複製防止制御信号を発生させて上述のように、これをスペクトラム拡散して、アナログ出力情報信号に重畳して出力するようにする。このようにすれば、記録媒体には、複製防止制御信号が記録されていない場合にも、複製防止制御を確実に行わせるようにすることができる。
【０１１２】
同様に、デジタル信号の形式で情報が記録されている記録媒体であって、付加情報として著作権情報は記録されていても、直接的な複製防止制御情報が記録されていない記録媒体を再生を行う情報出力装置においても、再生に際して、付加情報としての前記著作権情報を検知したときに、複製防止制御信号を発生させて上述のように、これをスペクトラム拡散して、アナログ出力情報信号に重畳して出力するようにすれば、アナログ接続の場合において、記録装置における複製防止制御を確実に行わせるようにすることができる。
【０１１３】
また、以上の例は、２重に複製防止制御信号を重畳した場合について説明したが、３重あるいはそれ以上に複数通りに複製防止制御信号を重畳するようにしても、もちろんよい。
【０１１４】
複製防止制御信号は、許容される複製回数ではなく、複製許可、複製禁止、第１世代の複製のみを許可などの世代制限などの制御内容を示すものであっても、適用可能であることは言うまでもない。
【０１１５】
【発明の効果】
以上説明したように、この発明では、複製防止制御情報は、複数通りの重畳方式により、主情報信号に対して重畳するので、そのうちの一つやいくつかの方式による複製防止制御情報が除去されてしまったり、修正が加えられたとしても、少なくとも一つの複製防止制御信号が残っていれば確実に複製防止制御が実行される。特に、この発明においては、複数の重畳方式のうちの一つは、複製防止制御信号をスペクトラム拡散することにより周波数帯域を広げ、アナログ情報信号と同一時間、同一周波数内で重畳させる方式であり、周波数フィルタや単純な情報信号の置き換えでは複製制御情報の削除および修正が不可能となる。このため、アナログ接続であっても、有効に複製防止制御を行うことができる。
【０１１６】
そして、複数個の複製防止制御信号のいずれかが、修正されて、前記複数個の複製防止制御信号の間に不整合が生じた場合には、最も、記録禁止に近い複製防止制御情報を採用するというように、規則を定めて、整合を図るようにしているので、複製防止制御が適切に行われるものである。
【図面の簡単な説明】
【図１】この発明による情報出力装置の一実施の形態を説明するためのブロック図である。
【図２】図１の情報出力装置の一部を説明するためのブロック図である。
【図３】図１の情報出力装置の一部を説明するためのブロック図である。
【図４】図３の一部のＰＮ符号列生成部の一例を説明するためのブロック図である。
【図５】図１の実施の形態を説明するためのタイミングチャートを示す図である。
【図６】ＳＳ複製防止制御信号と情報信号の関係をスペクトルで示した図である。
【図７】この発明による記録装置の一実施の形態を説明するためのブロック図である。
【図８】この発明による記録装置の一実施の形態の要部の動作を説明するためのフローチャートである。
【図９】この発明による情報出力装置の他の実施の形態を説明するためのブロック図である。
【図１０】この発明による記録装置の他の実施の形態を説明するためのブロック図である。
【図１１】複製防止制御システムの従来の構成を説明するためのブロック図である。
【符号の説明】
１０…情報出力装置、１１…読み出し部、１２…復号化部、１３…複製防止制御信号付加部、１４…Ｄ／Ａ変換器、１５…加算部、１６…複製防止制御信号抽出部、１７…ＳＳ複製防止制御信号生成部、１８…Ｄ／Ａ変換器、１９…タイミング生成部、２０…情報記録装置、２１…Ａ／Ｄ変換器、２２…符号化部、２３…書き込み部、２４…複製防止制御信号検出部、２５…ＳＳ複製防止制御信号検出部、２６…タイミング生成部、２７…複製制御部、３０、情報出力装置、３１…第１ＰＮ符号系列発生部、３２…第２ＰＮ符号系列発生部、３３、３４…スペクトラム拡散用乗算器、４０…情報記録装置、４１、４２…ＳＳ複製防止制御信号検出部、１７１…複製防止制御信号生成部、１７２…ＰＮ符号列生成部、２００…記録側記録媒体
【図１】
0003736588.tif 000002
【図２】
0003736588.tif 000003
【図３】
0003736588.tif 000004
【図４】
0003736588.tif 000005
【図５】
0003736588.tif 000006
【図６】
0003736588.tif 000007
【図７】
0003736588.tif 000008
【図８】
0003736588.tif 000009
【図９】
0003736588.tif 000010
【図１０】
0003736588.tif 000011
【図１１】
0003736588.tif 000012